(57)【要約】【課題】ペン内部に内蔵したバネの加重特性のバラツキが、そのまま筆圧に表れてしまう。筆圧精度を高めるには、バネの加重特性のバラツキを押さえるか、個々のバネのバラツキ特性を測定しプログラムで補正する。いづれにしても上記した方法では、コストや工数がかかり現実的ではない。【解決手段】演算装置を設けた制御部に接続され、信号入力ペンを使用するデジタイザであって、前記制御部により矩形波をデジタイザに送り、前記信号入力ペンをデジタイザ盤面との距離に基づいて、容量結合量を前記信号入力ペンで検出し、前記制御部により演算処理を行い、筆圧データを作成する筆文字入力装置。【選択図】図１
2004062729.tif 000002
【特許請求の範囲】
【請求項１】
演算装置を設けた制御部に接続され、信号入力ペンを使用するデジタイザであって、前記制御部により矩形波をデジタイザに送り、前記信号入力ペンをデジタイザ盤面との距離に基づいて、容量結合量を前記信号入力ペンで検出し、前記制御部により演算処理を行い、筆圧データを作成することを特徴とする筆文字入力装置。
【請求項２】
前記信号入力ペンのペン先は、筆の穂先であることを特徴とする請求項１記載の筆文字入力装置。
【発明の詳細な説明】
【０００１】
【産業上の利用分野】
本発明は静電容量方式のデジタイザに於いて、デジタイザの盤面と入力ペンとの距離を測定し、Ｘ，Ｙ，Ｚ座標に変換する。この３次元データから入力ペンのペン先にかかる加重を推定し筆圧データに変換し、筆文字入力を可能にするシステムである。
【０００２】
【従来の技術】
従来デジタイザでの筆圧測定方法は、入力ペンの内部にバネを内蔵させ、ペン先にかかる圧力に応じて上記バネが圧縮されていた。この原理に基づきバネの縮んだ距離を筆圧とし、筆圧に応じて線幅を決め筆文字を表しているのが一般的である。
【０００３】
【発明が解決しようとする課題】
従って上記従来技術の方式では、上記ペン内部に内蔵したバネの加重特性のバラツキが、そのまま筆圧に表れてしまう。筆圧精度を高めるには、バネの加重特性のバラツキを押さえるか、個々のバネのバラツキ特性を測定しプログラムで補正する。いづれにしても上記した方法では、コストや工数がかかり現実的ではない。そこで本発明は、筆圧精度の高いデジタイザを提供することで忠実性の高い筆文字を再現することにある。
【０００４】
【課題を解決するための手段】
演算装置を設けた制御部に接続され、信号入力ペンを使用するデジタイザであって、前記制御部により矩形波をデジタイザに送り、前記信号入力ペンをデジタイザ盤面との距離に基づいて、容量結合量を前記信号入力ペンで検出し、前記制御部により演算処理を行い、筆圧データを作成する筆文字入力装置を提案するものである。
【０００５】
【発明の実施と形態】
本発明のデジタイザは、静電容量結合方式を利用した座標入力装置で、コンデンサの性質である交流信号は通すが、直流信号は通さない性質を利用して、デジタイザ盤面を介してペンで検出した受信信号から座標データに変換する方式を採用している。
筆文字を忠実に再現させる為に、筆跡と筆圧両方の正確なデータが必要である。上記データを得る為に、筆跡は従来のデジタイザでＸＹ座標の２次元データに正確に変換出来る。
次に筆圧は、デジタイザのペン先に筆の穂先を搭載し穂先の沈み込みを測定し、沈み込んだ距離に応じて筆圧に変換する。
【０００６】
【作用】
筆跡をＸＹ軸の２次元座標データから筆圧をＺ軸の３次元座標データにて構成でき、ペン先に筆の穂先を付けたことで筆文字が忠実に再現する。
【０００７】
【実施例】
このデジタイザの構造と動作原理を説明する。まず制御基板１より矩形波を発生させデジタイザに設けられている透明電極２を駆動する。入力ペン３のペン先４を、デジタイザ盤面５に接触させるとガラス６が誘電体として働く。透明電極２と上記入力ペン３のペン先４の間で容量結合が発生し、入力ペン３で信号を検出し、その信号を増幅回路７で増幅する。制御基板１は、ＣＰＵが受信信号レベルから演算処理を施し２次元の座標データを確立する。
【０００８】
次にペン先４がデジタイザ盤面５から浮上した状態を示す図２の状態についても、上記した実施例と同様に透明電極２とペン先４の間で容量結合が発生し、入力ペン３で信号が検出できる。しかしこの状態の時は、デジタイザ盤面５とペン先４の接触状態よりも受信信号レベルが小さくなる。受信信号レベルの大きさに応じて、浮上距離を制御基板１に設けられているＣＰＵにより計算し、３次元座標データとして確立する。
【０００９】
図３に示す入力ペン３のペン先に、筆の穂先８を付けた状態で受信信号レベルがどう変化したかを確かめた。デジタイザ盤面５に筆の穂先８が丁度接触した状態を基準とし、入力ペン３とデジタイザ盤面５までの距離をＺ１とし、その時の受信信号レベルも併せて基準値として定義する。穂先８がデジタイザ盤面５に接触しないＺ０の時は筆圧が無く字を書いていない状態と見なす。穂先８に圧力が加わったＺ２やＺ３の状態は、デジタイザ盤面５と穂先８に応じて受信信号レベルも変化する。本実施例で説明している入力ペン３の先端部分に取り付けられる筆の穂先の材質は人工物、自然物のどちらでも良い。
この原理により３次元座標データが確定でき、筆圧に応じた筆文字入力が可能となる。
【００１０】
図４に示したデジタイザ９の盤面構造は、ガラス板の裏面に透明な導電性の透明電極を蒸着する。その４つ角に制御基板１に設けられているＣＰＵからの信号を入力するための電極端子があり、左から時計回りにＡＢＣＤと決める。そして各々がＣＰＵのポートＡＢＣＤに接続されている。
【００１１】
図５に示したデジタイザ９の座標検出方法は、制御基板１に設けられたＣＰＵのポートＡの端子を電極Ａに接続し電極ＣをＧＮＤに接続する。上記ＣＰＵからポートＡに２０ＫＨｚ程度の矩形波で駆動する。そうすると端子Ａから端子Ｃに向かい電流が流れ、透明電極の抵抗は均一に蒸着されているため端子Ｃから端子Ａに向かい比例して信号レベルが大きくなる。
【００１２】
入力ペン３で、デジタイザ９の盤面５を当接すると静電容量結合方式により信号を検出でき、制御基板１に設けられているＣＰＵに内蔵されたＡＤＣにより受信信号の大きさを測定する。この測定値はＡとＣの分圧抵抗に等しいため、入力ペン３によりデジタイザ９の盤面５を当接した場所が、Ａ点とＣ点の比として求められる。同様にしてＢ点とＤ点から／Ｃ点とＡ点から／Ｄ点とＢ点から比が求められ、入力ペン３によりデジタイザ９の盤面５を当接した正確なＸＹ軸の２次元データ座標が確立できる。
【００１３】
続いて、図６に示した入力ペン３が、デジタイザ９の盤面５から浮上した状態の信号検出方法は、接触時と同様の手順で行うが受信信号を駆動信号で割る、信号の大きさばかりでなく信号の比で測定する。これも同様に４回計測し浮上した入力ペンの２次元座標が確立できる。それに付け加えて浮上時の受信信号の大きさを接触時の受信信号の大きさで割ることで、予め浮上距離により信号の減衰率を登録しておいたデータから浮上距離も計算できる。
【００１４】
この原理を応用し、図７に示すように入力ペン３に筆の穂先８を付けた入力ペン３でデジタイザ９の盤面上５で文字を書くと、筆圧に応じて入力ペン３の先端部分に取り付けた筆の穂先８が沈み込み、正確な３次元座標データが検出でき、筆の筆圧に応じた筆文字が再現できる。
【００１５】
【発明の効果】
以上説明したように、本発明によれば筆圧測定方法に本物の筆を使うことで、筆のタッチを損なうことなく、一人一人の個性あるを筆文字を忠実に再現できる。
併せて、筆圧測定方法にバラツキの多いバネを使わないですむため選別コストや補正工数もいらず、コストダウンも可能である。
【図面の簡単な説明】
【図１】デジタイザの構造と動作原理
【図２】ペン先が浮上した時の受信信号
【図３】入力ペンの先に筆の穂先を付けた状態
【図４】デジタイザの盤面構造
【図５】デジタイザの信号検出方式
【図６】入力ペンが盤面から浮上した状態の信号検出
【図７】筆圧に変換するメカニズム
【図１】
2004062729.tif 000003
【図２】
2004062729.tif 000004
【図３】
2004062729.tif 000005
【図４】
2004062729.tif 000006
【図５】
2004062729.tif 000007
【図６】
2004062729.tif 000008
【図７】
2004062729.tif 000009